(57)【要約】【課題】平型商品ケースの開口を構成する前方側又は側方側のフレームに取付けることが可能な平型商品ケース用商品情報表示具を提供することである。【解決手段】平型商品ケースの開口を構成するフレームＡの少なくとも上面を覆うように帯状に形成され、商品情報の表示を行う商品情報表示部材１２と、該商品情報表示部材１２を前記フレームＡにその上面を覆うように取付ける取付手段１４と、を備えていることを特徴とする平型商品ケース用商品情報表示具である。【選択図】図３
2006305224.tif 000002
【特許請求の範囲】
【請求項１】
平型商品ケースの開口を構成するフレームの少なくとも上面を覆うように帯状に形成され、商品情報の表示を行う商品情報表示部材と、
該商品情報表示部材を前記フレームにその上面を覆うように取付ける取付手段と、
を備えていることを特徴とする平型商品ケース用商品情報表示具。
【請求項２】
前記取付手段は、前記フレームの外面及び内面のいずれか一方に当接可能であるとともに、前記商品情報表示部材に対して不動な不動部材と、前記外面及び内面のいずれか他方に当接可能であるとともに、前記外面及び内面に対して垂直な方向に移動可能な移動部材と、を備え、前記移動部材と前記不動部材により前記フレームを挟持することによって、前記商品情報表示部材を前記フレームに対して固定することを特徴とする請求項１記載の平型商品ケース用商品情報表示具。
【請求項３】
前記取付手段は、前記移動部材の移動方向に沿って複数の刃が連なって前記不動部材に設けられた鋸刃部をさらに備え、
前記移動部材は、前記鋸刃部の各刃に当接可能なアーム部を備え、
前記アーム部を当接させる鋸刃部の刃の位置によって前記移動部材の前記不動部材に対する位置決めがされるように構成されていることを特徴とする請求項２記載の平型商品ケース用商品情報表示具。
【請求項４】
前記移動部材は、前記アーム部を前記鋸刃部の刃に当接させた状態で、前記挟持するフレームに向かって前記移動部材の下端を移動させるように、前記移動部材を傾動させる傾動手段を備えていることを特徴とする請求項３記載の平型商品ケース用商品情報表示具。
【請求項５】
前記商品情報表示部材は、前方に向かって凸状に湾曲していることを特徴とする請求項１乃至４いずれか記載の平型商品ケース用商品情報表示具。
【発明の詳細な説明】
【技術分野】
【０００１】
本発明は、スーパーなどの小売店において冷凍食品や生鮮食品などを収容して展示する冷蔵・冷凍平型商品ケースに用いられる平型商品ケース用商品情報表示具に関する。
【背景技術】
【０００２】
従来から、スーパーなどの小売店において、冷凍食品や生鮮食品など冷蔵・冷凍保存が必要な商品を収容して、顧客に対してこれら商品を展示するものとして、冷蔵・冷凍平型商品ケースがある。このような平型商品ケースにおいて、収容され展示されている商品の情報、例えば商品価格や商品名などは、それら情報が記載された商品情報カード１０４などを図９に示すように平型商品ケース１００の開口を形成する前方側のフレーム１０２に透明性のテープなどで貼り付けるか、あるいは後方側のフレームに設けられた商品情報カード挿入部に商品情報カードを挿入すること（図示省略）によって、顧客に開示している。
【０００３】
一方、商品情報を表示する商品情報表示具として、この商品情報表示具を取付ける商品陳列棚の形状に合わせて、様々なものが提案されている（特許文献１参照）。
【０００４】
【特許文献１】特開平１０−３２６０号公報
【発明の開示】
【発明が解決しようとする課題】
【０００５】
しかしながら、平型商品ケースに用いることが可能な商品情報表示具は存在せず、このため上述のようにテープなどによって商品情報カードを貼り付けているのが現状である。このように商品情報カードをテープなどで貼り付けることを見栄えが良くなく、清潔感に欠けるという問題がある。また、後方側に商品情報カード挿入部に商品情報カードを挿入して商品情報を表示しても見え難いという問題があり、前方側に商品情報を表示したいという要望が強い。前方側又は側方側のフレームに商品情報カード挿入部を設けることも考えられるが、高価な平型商品ケースに改良を加えたり、あるいは再購入しなければならず、コストがかかるという問題がある。
【０００６】
そこで、本発明は、既存の平型商品ケースの開口を構成する前方側又は側方側のフレームに取付けることが可能な平型商品ケース用商品情報表示具を提供することを目的とする。
【課題を解決するための手段】
【０００７】
以上の目的を達成するため、本発明は、平型商品ケースの開口を構成するフレームの少なくとも上面を覆うように帯状に形成され、商品情報の表示を行う商品情報表示部材と、該商品情報表示部材を前記フレームにその上面を覆うように取付ける取付手段と、を備えていることを特徴とする平型商品ケース用商品情報表示具である。
【０００８】
以上のように本発明に係る平型商品ケース用商品情報表示具によれば、取付手段によって商品情報表示部材を平型商品ケースの開口部を構成するフレームの少なくとも上面を覆うように取付けることができるので、既存の平型商品ケースの前方側又は側方側に商品表示を行うことができ、特にフレームの上面を覆うので、美観にも優れている。
【０００９】
本発明に係る平型商品ケース用商品情報表示具において、前記取付手段は、前記フレームの外面及び内面のいずれか一方に当接可能であるとともに、前記商品情報表示部材に対して不動な不動部材と、前記外面及び内面のいずれか他方に当接可能であるとともに、前記外面及び内面に対して垂直な方向に移動可能な移動部材と、を備え、前記移動部材と前記不動部材により前記フレームを挟持することによって、前記商品情報表示部材を前記フレームに対して固定するよう構成されていることが好ましく、前記取付手段は、前記移動部材の移動方向に沿って複数の刃が連なって前記不動部材に設けられた鋸刃部をさらに備え、前記移動部材は、前記鋸刃部の各刃に当接可能なアーム部を備え、前記アーム部を当接させる鋸刃部の刃の位置によって前記移動部材の前記不動部材に対する位置決めがされるように構成されていることが好ましい。
【００１０】
また、本発明に係る平型商品ケース用商品情報表示具において、前記移動部材は、前記アーム部を前記鋸刃部の刃に当接させた状態で、前記挟持するフレームに向かって前記移動部材の下端を移動させるように、前記移動部材を傾動させる傾動手段を備えていることが好ましく、このように傾動手段によって移動部材の下端をフレームに向かって移動させて、前記フレームを挟持することができる。
【００１１】
さらに、本発明に係る平型商品ケース用商品情報表示具において、前記商品情報表示部材は、前方に向かって凸状に湾曲していることが好ましく、このように凸状に湾曲している前方を平型商品ケースの外側に向けることにより、商品情報表示部材に表示された商品情報を消費者に容易に展示することができる。またさらに、本発明に係る平型商品ケース用商品情報表示具は、前方側にチラシなどを吊り下げることが可能なフックを設け、後方側にカテゴリーカードを把持可能なカテゴリーカードホルダーを設けても良い。
【発明の効果】
【００１２】
以上のように、本発明に係る商品表示具によれば、既存の平型商品ケースの開口を構成する前方側又は側方側のフレームに取付けることが可能な平型商品ケース用商品情報表示具を提供することができる。
【発明を実施するための最良の形態】
【００１３】
次に、本発明に係る平型商品ケース用商品情報表示具の実施例について図面に基づいて説明する。図１は、本実施例に係る平型商品ケース用商品情報表示具の斜視図、図２は、右側面図、図３は、図１のＡ−Ａ´線に沿った断面図、図４は、図３のＢ−Ｂ´線に沿った断面図、図５は、本実施例に係る平型商品ケース用商品情報表示具が装着された平型商品ケースの斜視図である。本実施例に係る平型商品ケース用商品情報表示具１０は、平型商品ケースの開口を構成するフレームＡの少なくとも上面を覆うように帯状に形成された商品情報表示部材１２と、商品情報表示部１２をそのフレームＡに取付ける取付部材１４と、を備えている。本実施例に係る平型商品ケース用商品情報表示具１０においては、図１に示すように一つの商品情報表示部材１２に対して二つの取付部材１４を設けたが、三以上設けても良い。また、図５に示すように本実施例に係る平型商品ケース用商品情報表示具は、平型商品ケースのフレームＡに複数連ねて設けることができる。
【００１４】
商品情報表示部材１２は、水平な後端から前方に凸状に湾曲するとともに、左右方向に延在して所定の長さを有する商品情報表示部材本体１６と、商品情報表示部材本体１６の表面側ほぼ全域を覆うとともに、商品情報表示部材本体１６の形状に沿って凸状に湾曲し、透明性の素材で構成されたカバー部材１８と、商品情報表示部材本体１６の左右両端に装着される端部材２０Ａ、２０Ｂと、を備えている。
【００１５】
商品情報表示部材本体１６の前方側の端部は、後方側に向かって折れ曲がって前方水平部２２を形成し、その前方水平部２２には、その前方側端部の折れ曲がった部分から後方に延びる前方溝２４が左右方向に亘って形成されている。また、前方水平部２２の後端は、垂直方向上方に向かって折れ曲がって前方垂直部２６を形成している。さらに、商品情報表示部材本体１６の後方側の端部は、垂直下方に向かって折れ曲がって後方垂直部２８を形成している。後方垂直部２８の前方側、すなわち内側には、上方に向かって開口された内溝３０が左右方向に亘って形成されており、後方垂直部２８の後方側、すなわち外側には、同様に上方に向かって開口された外溝３２が左右方向に亘って形成されている。
【００１６】
カバー部材１８の前方側の端部は、後方側に折れ曲がって水平部３４を形成し、この水平部３４が商品情報表示部材本体１６の前方溝２４に挿入されることによって、カバー部材１８を商品情報表示部材本体１６に取付けることができる。なお、商品情報表示部材本体１６の前方水平部２２は、前方に若干突出し、その突出した端には、上方に突出するフランジ３６が形成されている。このフランジ３６の内側がカバー部材１８の前方端部に当接することによってカバー部材１８が商品情報表示部材本体１６から脱落するのを防止することができる。また、カバー部材１８の水平部３４を形成する折れ曲がりの角度は、商品情報表示部材本体１６の前方水平部２２を形成する折れ曲がり角度よりも小さくなるように形成されており、このためカバー部材１８の後方側は、商品情報表示部材本体１６に向かって付勢されている。したがって、図１に示すように商品情報表示部材本体１６とカバー部材１８の間に商品情報カードＸなどを挿入して、商品情報カードＸを展示することができる。
【００１７】
端部材２０Ａ、２０Ｂは、商品情報表示部材本体１６の左右両端に装着されて、商品情報表示部材本体１６に装着された取付部材１４が脱落するのを防止する機能を有する。これら端部材２０Ａ、２０Ｂの内側の縁は、図１に示すようにカバー部材１８を覆わないので、カバー部材１８と商品情報表示部材本体１６の間に商品情報カードを挿入させるのに支障を来たすことはない。
【００１８】
取付部材１４は、商品情報表示部材本体１６の裏面に装着される取付部材本体３８と、取付部材本体３８に対して水平方向に移動可能な移動部材４０と、を備えている。
【００１９】
取付部材本体３８は、商品情報表示部材本体１６の形状に沿って前方に凸状に湾曲する湾曲部４２と、湾曲部４２の前方側の端部の近傍から後方に向かって水平に延在する水平部４４と、湾曲部４２の前方側の端部の近傍から下方に向かって垂直に延在する不動部４６と、を備えている。湾曲部４２の前方の端部は、垂直方向下方に折れ曲がって前方垂直部４８を形成し、この前方垂直部４８と不動部４６によってその間に前方溝５０を形成する。また、湾曲部４２の後方の端部は、垂直方向下方に折れ曲がって後方垂直部５２を形成する。そして、商品情報表示部材本体１６の前方垂直部２６が取付部材本体３８の前方溝５０に挿入するとともに、取付部材本体３８の後方垂直部５２が商品情報表示部材本体３８の内溝３０に挿入するように、取付部材本体３８を商品情報表示部材本体３６の側端部からスライドさせて挿入することによって、取付部材本体３８を商品情報表示部材１２に装着することができる。さらに、湾曲部４２の左右両側端部それぞれから内側に向かって、各２本の切欠き５４、５４が形成されるとともに、左右両側端部のそれら２本の切欠き５４の間の部分には、フランジ５６が上方に突出している。このため、フランジ５６が常時商品情報表示部材本体１６の裏面を付勢することになるので、取付部材本体３８を商品情報表示部材本体１６に対する移動を抑制することができる。またさらに、湾曲部４２と水平部４４の間には、垂直に立脚するリブ５８が設けられている。
【００２０】
水平部４４の左右両端部の上面には、後方に向いた斜面と前方に向いた垂直面からなる刃が前後方向に複数連続して設けられた鋸刃部６０、６０が形成されている。また、水平部４４の横幅は、湾曲部の横幅よりも短く形成されている。
【００２１】
不動部４６の前面側下方には、Ｊ字状のフック６２が設けられており、図５に示すように、このフック６２には、チラシなどを吊り下げることができる。また、不動部４６の後面には、ゴムやスポンジなど弾性素材又は柔軟性素材で構成された緩衝部材６４がそのほぼ全域に亘って設けられている。
【００２２】
移動部材４０は、略平面四角状に形成された移動部材本体６６と、移動部材本体６６の左右両端部の上面から上方に突出するとともに前方に向かって湾曲している一対のアーム部６８、６８と、移動部材本体６６の底面から上面に亘って貫通する貫通孔７０に螺入された固定ねじ７２と、を備えている。
【００２３】
各アーム部６６、６６の先端には、図３及び４に示すように、内側方向に突出する突出部７４、７４が形成されており、各突出部７４、７４の底面には、前方側が取付部材本体３８の水平部４４の鋸刃部６０の斜面に当接可能な斜面を有するとともに、後方側が鋸刃部６０の垂直面に当接可能なように下方に向かって突出する当接部７６、７６が形成されている。そして、このアーム部６６、６６の突出部７４、７４の当接部７６、７６を取付部材本体３８の水平部４４の鋸刃部６０のいずれかの刃に当接させて引っ掛けることによって、移動部材４０を取付部材本体３８に取付けることができ、当接部７６、７６を当接させる鋸刃部６０の刃の位置を変えることによって、移動部材４０を取付部材本体３８に対する水平方向の移動を可能とする。
【００２４】
固定ねじ７２は、貫通孔７０に設けられたナット７８に螺合可能に形成されており、貫通孔７８を螺進すると、固定ねじ７２の先端が取付部材本体３８の水平部４４の底面側を押圧することが可能な長さを有する。また、固定ねじ７２の基端には、円形状の摘み８０が設けられている。
【００２５】
次に、本実施例に係る平型商品ケース用商品情報表示具１０を平型商品ケースの開口を構成するフレームＡに取付ける動作を説明する。先ず、移動部材本体６６と不動部４６の間に遊びを持ってフレームＡを挟めるように、当接部７６、７６を当接させる鋸刃部６０の刃の位置を決めて引っ掛けて、移動部材４０を取付部材本体３８に取付ける。次いで、移動部材本体６６と不動部材４６の間にフレームＡを挟み、その後固定ねじ７２の摘み８０を持って回転させることによって、固定ねじ７２を螺進させる。固定ねじ７２を螺進させると、固定ねじ７２の先端が移動部材本体６６の上面から突出して水平部４４の底面側を押圧する。水平部４４の底面側が押圧されると、移動部材４０は、当接部７６、７６の当接位置を軸として前方向に傾動し、移動部材４０の下端部がフレームＡの後方面を押圧する。フレームＡの後方面が押圧されると、その前方面が不動部４６の緩衝部材６４を押圧し、緩衝部材６４は、その弾性に抗して変形する。そして、緩衝部材６４の復元力によって端部Ａの後面が移動部材本体４０の前面側を押圧するので、取付部材１４をフレームＡに固定することができる（図６参照）。
【００２６】
また、図７に示すように本実施例に係る平型商品ケース用商品情報表示具１０の商品表示部材本体１６の外溝３２には、カテゴリーカードホルダー８２を装着することができる。カテゴリーカードホルダー８２は、図７及び８に示すように本体８４と、本体８４から後方に突出して設けられた把持部８６と、を備えている。本体８４は、板状に形成されており、その上端は、前方、さらに下方に折れ曲がっている。この折れ曲がった先端には、後方に突出する突出部８４Ａが形成されており、この突出部８４Ａを外溝３２の後方壁の内側に突出する突出部３２Ａに係合させることによって、カテゴリーカードホルダー８２を平型商品ケース用商品情報表示具１０に取付けることができる。把持部８６は、本体８４から後方側に延在するとともに、板状に形成された中央板８８と、本体８４から後方側に延在するとともに、中央板部８８の左側に設けられ、中央板８８と挟持することによって比較的厚めのカテゴリーカードを把持可能な第１把持板９０と、中央板部８８の右側に設けられ、中央板８８と挟持することによって比較的薄めのカテゴリーカードを把持可能な第２把持板９２と、を備えている。カテゴリーカードＹを把持した状態を図５及び７に示す。
【図面の簡単な説明】
【００２７】
【図１】本発明に係る平型商品ケース用商品情報表示具の実施例の斜視図である。
【図２】本実施例に係る平型商品ケース用商品情報表示具の側面図である。
【図３】図１のＡ−Ａ´線に沿った断面図である。
【図４】図３のＢ−Ｂ´線に沿った断面図である。
【図５】本実施例に係る平型商品ケース用商品情報表示具が装着された平型商品ケースの斜視図である。
【図６】本実施例に係る平型商品ケース用商品情報表示具をフレームに挟持する状態を示す図３に対応する図である。
【図７】本実施例に係る平型商品ケース用商品情報表示具にカテゴリーカードホルダーを装着した状態を示す図３に対応する図である。
【図８】本実施例に係る平型商品ケース用商品情報表示具に使用されるカテゴリーカードホルダーの平面図である。
【図９】従来の方法で商品カードが貼り付けられた平型商品ケースの斜視図である。
【符号の説明】
【００２８】
１２   商品情報表示部材
１４   取付部材
【図１】
2006305224.tif 000003
【図２】
2006305224.tif 000004
【図３】
2006305224.tif 000005
【図４】
2006305224.tif 000006
【図５】
2006305224.tif 000007
【図６】
2006305224.tif 000008
【図７】
2006305224.tif 000009
【図８】
2006305224.tif 000010
【図９】
2006305224.tif 000011
【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
平型商品ケースの開口を構成するフレームの少なくとも上面を覆うように帯状に形成され、商品情報の表示を行う商品情報表示部材と、
該商品情報表示部材を前記フレームにその上面を覆うように取付ける取付手段と、
を備えていることを特徴とする平型商品ケース用商品情報表示具であって、
前記取付手段は、前記フレームの外面及び内面のいずれか一方に当接可能であるとともに、前記商品情報表示部材に対して不動な不動部材と、前記外面及び内面のいずれか他方に当接可能であるとともに、前記外面及び内面に対して垂直な方向に移動可能な移動部材と、前記移動部材の移動方向に沿って複数の刃が連なって前記不動部材に設けられた鋸刃部と、を備え、
前記移動部材と前記不動部材により前記フレームを挟持することによって、前記商品情報表示部材を前記フレームに対して固定し、
前記移動部材は、前記鋸刃部の各刃に当接可能なアーム部を備え、
前記アーム部を当接させる鋸刃部の刃の位置によって前記移動部材の前記不動部材に対する位置決めがされるように構成されていることを特徴とする平型商品ケース用商品情報表示具。
【請求項２】
前記移動部材は、前記アーム部を前記鋸刃部の刃に当接させた状態で、前記挟持するフレームに向かって前記移動部材の下端を移動させるように、前記移動部材を傾動させる傾動手段を備えていることを特徴とする請求項２記載の平型商品ケース用商品情報表示具。
【請求項３】
前記商品情報表示部材は、前方に向かって凸状に湾曲していることを特徴とする請求項１又は２記載の平型商品ケース用商品情報表示具。